(57)【要約】【課題】有害なノイズの少ない、又、有害な成分を軽減します。集積回路の安全ガードを約束して行く３ダイオード・抵抗器組み合わせ器を提供します。【解決手段】電子回路の僅かな電流による半導体ダイオードのオープンを知ることができます。かなり細かい集積回路に無くてはならないのが特徴である。【選択図】図２
2015206776.tif 000002
【特許請求の範囲】
【請求項１】
３ダイオードに抵抗器、光センサー器を設けた３ダイオード・抵抗器組み合わせ器である。日本国中。
【発明の詳細な説明】
【技術分野】
【０００１】この発明は、３ダイオードに抵抗器を設けた半導体に関するものである。
【背景技術】
【０００２】従来、ダイオードと抵抗器、半導体ダイオードには抵抗器を直接、接続しないで別々になっていた。
【先行技術文献】
【特許文献】
【０００３】
【特許文献１】
【発明の概要】
【発明が解決しようとする課題】
【０００４】これは、次のような欠点があった。ダイオード組み合わせ器には、有害な成分がどうしても防ぐことが出来ないでいた。本発明は、以上のような欠点をなくするためになされたものである。
【課題を解決するための手段】
【０００５】（１）導通線（２）非導通線（３）導通線（４）非導通線（５）導通線（６）非導通線（７）抵抗Ｒ１（８）抵抗Ｒ２（９）抵抗Ｒ３（１０）光センサー器    本発明は以上の構成よりなる３ダイオード・抵抗器組み合わせ器である。
【発明の効果】
【０００６】有害な電源の成分を軽減し、ノイズを少なく又、ダイオードのオープンを抵抗器により、軽減します。
集積回路などの不備なこと、故障を瞬時に知らせてくれます。光センサー器の働きこそが何より大切で無駄がない３ダイオード・抵抗器の組み合わせ器を約束します。
【図面の簡単な説明】
【０００７】
【図１】本発明の側面図である。
【図２】本発明の平面図である。
【発明を実施するための形態】
【０００８】以下、本発明を実施するための形態について説明する。ダイオードには抵抗器で余分な電気エネルギーをシャッターアウトしてダイオードをカバーします。
（１）導通線（２）非導通線３）導通線（４）非導通線（５）導通線（６）非導通線（７）抵抗Ｒ１（８）抵抗Ｒ２（９）抵抗Ｒ３（１０）光センサー器。電子回路自体の安全性、合理性にちなんだ装置である。
本発明は以上のような構造である。
【符号の説明】
【０００９】１  導通線
２  非導通線
３  導通線
４  非導通線
５  導通線
６  非導通線
７  抵抗Ｒ１
８  抵抗Ｒ２
９  抵抗Ｒ３
１０  光センサー器
【図１】
2015206776.tif 000003
【図２】
2015206776.tif 000004
【手続補正書】
【提出日】平成27年4月2日(2015.4.2)
【手続補正１】
【補正対象書類名】明細書
【補正対象項目名】全文
【補正方法】変更
【補正の内容】
【発明の詳細な説明】
【技術分野】
【０００１】この発明は、３ダイオードに抵抗器を設けた半導体に関するものである。
各部に抵抗器を付けて負荷に対する、負担を軽減し、持続性を高めるのである。
【背景技術】
【０００２】従来、ダイオードと抵抗器、半導体ダイオードには抵抗器を直接、接続しないで別々になっていた。これにより、抵抗器の持つ本来の状態を維持するための装置である。
【先行技術文献】
【特許文献】
【０００３】実願５８−１０９３６６号
【特許文献１】
【発明の概要】
【発明が解決しようとする課題】
【０００４】ダイオード組み合わせ器には、有害な成分が防げずにいた。これに、半導体トランジスター、集積回路、ＲＣ回路を組み合わせた電子回路により良い増幅回路を生み出す為にこの発明品が使用されるのである。
【課題を解決するための手段】
【０００５】（１）導通線（２）非導通線（３）導通線（４）非導通線（５）導通線（６）非導通線（７）抵抗Ｒ１（８）抵抗Ｒ２（９）抵抗Ｒ３（１０）光センサー器  本発明は以上の構成よりなる３ダイオード・抵抗器の組み合わせ器を約束します。
電気的に接続される部分を導通線、非導通線は電気的に接続されないのである。
この半導体ダイオードのオープンしたときには、光センサー器は消灯して、そして、必然的に作動しなくなります。
【発明の効果】
【０００６】有害な成分、ノイズ、ダイオードのオープンを瞬時に知らせ、負荷えの悪い影響を軽減できます。
【図面の簡単な説明】
【０００７】
【図１】本発明の側面図である。
【図２】本発明の平面図である。
【発明を実施するための形態】
【０００８】半導体ダイオードには抵抗器で余分な電気エネルギーを取り除きダイオードを補佐するものである。
一つに可変抵抗器を備えて、有害な電気エネルギーを少しでも無くすようにすることである。
この半導体は、電気エネルギーが流れないようにする非導通線とこれとは、逆の導通線が同時にもうけられています。
【符号の説明】
【０００９】１  Ｕ１  導通線
２  Ｕｎ１非導通線
３  ｕ２導通線
2015206776.tif 000005
５  ｕ３導通線
６  ｕｎ３非導通線
７  抵抗Ｒ１
８  抵抗Ｒ２
９  抵抗Ｒ３
１０  光センサー器【０００１０】光センサー器に乾電池を接続するとセンサー器がうまく作動しないので、抵抗器を接続したところ大変じょうてきに作動しました。
これにより、抵抗器の存在が必要不可欠である。【０００１１】電子回路に無くてはならないヒット商品に成りえます。
集積回路に是非なくてはならない発明品であります。抵抗値を変えることでより良い装置になります。【０００１２】ダイオードの電気的なショートをしないように対策をを講じることを常に細心の注意をしなければならないのである。【０００１３】電子回路図になくてはならない事になり、実用性がかなり高まりつつある。
現実に消耗部品が有り、これらの部品がオープンになった時に大変役に立ちます。半永久的に使用される部品はないのでこの発明品であります。【０００１４】半導体ＨｐＡに接続するとマイクロ波が発生します。雑音がなく又ノイズなどその他の悪影響を受けません。
雨、雲の影響により雑音が少ないのが現状である。この半導体の中に組み込みますと、半導体のオープンを瞬時に知ることが出来ます。【０００１５】一般、ダイオードは正極から負極へ電気エネルギーが流れ、その逆は絶対に電流が流れません。このようなことから通常の状態を導通接続線、又、負極から正極に電流がながれないことを私は非導通接続線であると文章で強く訴えてきました。それぞれが接続線を備えた少なくとも３以上のダイオード（１）ｕ１導通接続線、（２）ｕｎ１非導通接続線、（３）ｕ２導通接続線、（４）ｕｎ２非導通接続線、（５）ｕ３導通接続線、（６）ｕｎ３非導通接続線（７）抵抗Ｒ１（８）抵抗Ｒ２（９）抵抗Ｒ３（１０）光センサー器これら３つ以上のダイオードの接続線に於いて断線が生じた場合に点灯するインジケーターランプ１つを備えた車両用補助ストップランプに関するものである。【０００１６】光センサー器がダイオードがそれぞれ３つの機能をかばい会うように一つの回路に故障があれば他のダイオード全体に異常があると一つのインジケーターランプが知らせてくれます。【０００１７】車両の方向指示器、ライトのモニター、車内の運転計器類のインジケータランプになくてはならないものである。
アンメーターの計器類にも大変重要である。情報化時代に是非必要になる事に繋がること必定である。
【手続補正書】
【提出日】平成27年4月14日(2015.4.14)
【手続補正１】
【補正対象書類名】明細書
【補正対象項目名】全文
【補正方法】変更
【補正の内容】
【発明の詳細な説明】
【技術分野】
【０００１】この発明は、３ダイオードに抵抗器を設けた半導体に関するものである。
各部に抵抗器を付けて負荷に対する、負担を軽減し、持続性を高めるのである。
【背景技術】
【０００２】従来、ダイオードと抵抗器、半導体ダイオードには抵抗器を直接、接続しないで別々になっていた。これにより、抵抗器の持つ本来の状態を維持するための装置である。
【先行技術文献】
【特許文献】
【０００３】実願５８−１０９３６６号
【特許文献１】
【発明の概要】
【発明が解決しようとする課題】
【０００４】ダイオード組み合わせ器には、有害な成分が防げずにいた。これに、半導体トランジスター、集積回路、ＲＣ回路を組み合わせた電子回路により良い増幅回路を生み出す為にこの発明品が使用されるのである。
【課題を解決するための手段】
【０００５】（１）導通線（２）非導通線（３）導通線（４）非導通線（５）導通線（６）非導通線（７）抵抗Ｒ１（８）抵抗Ｒ２（９）抵抗Ｒ３（１０）光センサー器  本発明は以上の構成よりなる３ダイオード・抵抗器の組み合わせ器を約束します。
電気的に接続される部分を導通線、非導通線は電気的に接続されないのである。
この半導体ダイオードのオープンしたときには、光センサー器は消灯して、そして、必然的に作動しなくなります。
【発明の効果】
【０００６】有害な成分、ノイズ、ダイオードのオープンを瞬時に知らせ、負荷えの悪い影響を軽減できます。
【図面の簡単な説明】
【０００７】
【図１】本発明の側面図である。
【図２】本発明の平面図である。
【発明を実施するための形態】
【０００８】半導体ダイオードには抵抗器で余分な電気エネルギーを取り除きダイオードを補佐するものである。
一つに可変抵抗器を備えて、有害な電気エネルギーを少しでも無くすようにすることである。
この半導体は、電気エネルギーが流れないようにする非導通線とこれとは、逆の導通線が同時にもうけられています。
【符号の説明】
【０００９】１  Ｕ１  導通線
２  Ｕｎ１非導通線
３  ｕ２導通線
2015206776.tif 000006
５  ｕ３導通線
６  ｕｎ３非導通線
７  抵抗Ｒ１
８  抵抗Ｒ２
９  抵抗Ｒ３
１０  光センサー器【００１０】光センサー器に乾電池を接続するとセンサー器がうまく作動しないので、抵抗器を接続したところ大変じょうてきに作動しました。
これにより、抵抗器の存在が必要不可欠である。【００１１】電子回路に無くてはならないヒット商品に成りえます。
集積回路に是非なくてはならない発明品であります。抵抗値を変えることでより良い装置になります。【００１２】ダイオードの電気的なショートをしないように対策をを講じることを常に細心の注意をしなければならないのである。【００１３】電子回路図になくてはならない事になり、実用性がかなり高まりつつある。
現実に消耗部品が有り、これらの部品がオープンになった時に大変役に立ちます。半永久的に使用される部品はないのでこの発明品であります。【００１４】半導体ＨｐＡに接続するとマイクロ波が発生します。雑音がなく又ノイズなどその他の悪影響を受けません。
雨、雲の影響により雑音が少ないのが現状である。この半導体の中に組み込みますと、半導体のオープンを瞬時に知ることが出来ます。【００１５】一般、ダイオードは正極から負極へ電気エネルギーが流れ、その逆は絶対に電流が流れません。このようなことから通常の状態を導通接続線、又、負極から正極に電流がながれないことを私は非導通接続線であると文章で強く訴えてきました。それぞれが接続線を備えた少なくとも３以上のダイオード（１）ｕ１導通接続線、（２）ｕｎ１非導通接続線、（３）ｕ２導通接続線、（４）ｕｎ２非導通接続線、（５）ｕ３導通接続線、（６）ｕｎ３非導通接続線（７）抵抗Ｒ１（８）抵抗Ｒ２（９）抵抗Ｒ３（１０）光センサー器これら３つ以上のダイオードの接続線に於いて断線が生じた場合に点灯するインジケーターランプ１つを備えた車両用補助ストップランプに関するものである。【００１６】光センサー器がダイオードがそれぞれ３つの機能をかばい会うように一つの回路に故障があれば他のダイオード全体に異常があると一つのインジケーターランプが知らせてくれます。【００１７】車両の方向指示器、ライトのモニター、車内の運転計器類のインジケータランプになくてはならないものである。
アンメーターの計器類にも大変重要である。情報化時代に是非必要になる事に繋がること必定である。【００１８】医療レーザー脱毛高周波組み合わせには顔面のひげ、ひじ、腹部、足の膝関節付近、すねの毛、胸の当たり、背中、など多用の毛根の内側より極度にレーザーの力により行われます。【００１９】発光ダイオードは電子の持つエネルギーを直接、光エネルギーに変化することである。
赤外線、可視光線領域、紫外線領域のような発光を得られる。【００２０】又、発光ダイオードは順方向降下電圧が高い発光色によって、赤外線では１．４ボルト程度、赤色、橙色、黄色、緑色では２．１ボルト程度、白色、青色では３．５ボルト程度、紫外線は４．５〜６ボルトが必要である。【００２１】ビタミンＤの生成に必要な波長を含んでいないために欠乏症になったり、光合成に必要な波長の光を含んでいないために生育が阻害されたりします。
生体環境に良くない成分が含まれています。【００２２】特に３色ＬｅＤ方式で白色発光を作り出している方式では波長分布による弊害が顕著となる。
構造が簡単、安価フィラメントとくらべて衝撃に強く、長寿命、その上故障の発生が低い【００２３】自動車、バイクなどのバッテリー等電源電圧がある程度変動するのをおさえる効果がある。
特にライトの明るさは昼間でも強く光を放ち眩しさが表れます。  バッテリー上がりなど殆ど有りません。【００２４】短所としては、熱に弱く、８０°Ｃ以上で素子の劣化が始まるため寿命がちじむのである。
すべてが消耗品で出来ているがゆえにこのダイオード組み合わせ器が必要に成ってくるのある。【００２５】ヒートリンクなどにより発煙、発火などの事故につながります。
青色発光ダイオードとしては、青色レーザーの実現により紫から純緑色の可視光波長領域の半導体発光素子が広く実用化された。
発明品にダイオードをさらに付け加えると安全性がより一層確実なものとなる。【００２６】低消費電力、長寿命、小型であるため多く電子機器に利用されている。
携帯電話機のボタンなどに多く使用され、バックホーン回線もほとんど光ファイバーによるケーブルが使われている。【００２７】又、周波数の高い青色発光ダイオードを使うことにより、簡単に通信容量を約２倍にすることができる。
３ダイオード組み合わせ器に限らず、発光ダイオードを多く駆使することが次第に強く使用されるようになってくるのがわかるのである。【００２８】信号機としては、クリアレンズを採用しているため疑似点灯現象の防止がなされている。
その他、大型ビジョン、看板、などにもＬＥＤ製品の普及が進んでいる。
ダイオードのオープンを瞬時に知ることができます。【００２９】デイスプレイのバックライトはＬＥＤは点光源のため広い面積を照射しようとするとムラを生じやすい。
信号機などはフイラメントに比べ、ＬＥＤは雪が解けずにおおわれているのが現状である。【００３０】テレビにＬＥＤを使用すると小型化がはかられ、経済的に、簡単に行われる。
こんな時にこの発明品を使用すると大変合理的に行える。
その他、ＬＥＤ  デイスプレイ、各種照明用、乗用車のランプ、バイクのランプ、自転車のランプ、電子写真プリンター内部の感光用光源、光通信用光源、模型製作、改造用光源、などがあり大変重要で必要不可欠な存在になり得ます。【００３１】接合ダイオードなども重要である。  ショットキーダイオードなどは少数キャリアによる回復時間が原理的にはゼロでキャリアの移動度も高速です。
可変容量ダイオードでは、逆方向電圧で静電容量を制御する。発振周波数の制御周波数逓倍ができるのである。
どんなときにも、決して必要がないというのは全く有り得ません。【００３２】その他マイクロ波用ダイオードにはマイクロ波の周波数の交流電圧に対して、負性抵抗を持ったため、発振素子として使用されます。
ガン効果を利用して、マイクロ波を直接発振マイクロ波レーダー等で構造が簡単なため、広く用いられています。【００３３】大出力が得られるインパットダイオードである。周波数で加えた電圧と同位相キャリアの精密が生じ、これまた動的な負性抵抗となる周波数が存在します。
ダイオードの市場に於いても、大変利用価値があり是非とも必要な品であるから、利用しなければならない。ダイオードのオープンを瞬時にしることができる体制がためをしなければならい。【００３４】３個のダイオードとインジケーターが一つ以上のランプを兼ね備えるだけでなく、トンネルダイオードを使用すると、大変効率の良い空間伝送をする電磁波があります。
これは、マイクロ波による発振を生じて雑音一切ないのである。【００３５】避雷器にはなくてはならないヒット商品にはバリスターがあります。こんな時にもインジケーターランプを使用することで遠くからでも故障の発見に繋がります。
ヘリによるパトロールや鉄塔に上がらなくても大丈夫にしごとがはかどります。【００３６】又電子回路器にサーミスターを使用し温度補償を行うにも大変役にたちます。
補助的に行うことが何より大切である。抵抗器により電圧の調整、多い容量での電子回路の保護に大変無くてはならいのである。
電気エネルギーの容量の多すぎたときに抵抗器でカバーしてやるのが大事である。【００３７】電圧制御発振器には可変容量ダイオードが必要になってくるのである。
電流値を一定に保ちながら増幅するのも大事であるが、又、電圧を一定に保ち増幅乗数を良くするのも大切である。
有害な成分を除去しながら、増幅効率を高めるのがポイントになります。【００３８】高周波検波により、点接触ダイオードが必要になります。高周波増幅器〜低周波増幅回路に至るまで高周波による検波がなにより大事である。
何事にも、ダイオード、インジケーターランプ、抵抗器による、一連の動作に光センサー器、ダイオードに於いては、医学用、気象レーダー、その他の電子回路に無くてはならないヒット商品になります。【００３９】抵抗器にはカーボン型、チップ型抵抗器を使用すると大変好都合である。その部署に応じて設計、製作するとよいことである。
高電圧を使用するところには、カーボン型抵抗器を使用する。微弱電圧増幅回路にはチップ型抵抗器を使用する。
高周波によるノイズの危険性のあるところには、電子回路設計により補助することが何より大事である。【００４０】極普通のダイオードに限らず、マイクロ波用ダイオードを使用すると、車の安全度がまします。
とっさの車の進入に於ける危険性が有るときなど自然に逃れることが出来ます。
レーダー車同志の混信にも耐えられるようにした車であれば事故率もぐうっと少なくなるに違いありません。レーダーを軍用に使用せず、車の安全性に更に応用した方が尊い命が失われることが有りません。